(57)【要約】  諸実施形態は、モバイル・トランシーバおよび基地局トランシーバ、ならびにモバイル・トランシーバ、基地局トランシーバ、およびモバイル通信システムの装置、方法、およびコンピュータ・プログラムを提供する。モバイル通信システム３００内のモバイル・トランシーバ１００の装置１０は、第１周波数レイヤ上でモバイル通信システム３００の基地局トランシーバ２００、３０５から周波数間測定の周期的測定構成に関する情報を受信する手段１２を含む。周波数間測定は、モバイル・トランシーバ（１００）が、速度しきい値未満の速度で移動している時に、少なくとも２つの反復サイクルの間に第２周波数レイヤ上の別の基地局トランシーバのカバレージ・エリア（３１５）内に位置するようになっている反復サイクルを有する第２周波数レイヤ上の反復測定を指す。装置１０は、さらに、周波数間測定結果を入手するために周期的測定構成に関する情報に基づいて、第２周波数レイヤ上で無線信号を測定する手段１４を含み、周波数間測定結果がしきい判断基準を満たす時に、モバイル通信ネットワーク３００の基地局トランシーバ２００、３０５に周波数間測定結果に関する情報を報告する手段１６を含む。基地局トランシーバ装置２０は、モバイル・トランシーバ１００に周波数間測定の周期的測定構成に関する情報を提供する手段２２と、モバイル・トランシーバ１００から周波数間測定結果に関する情報を受信する手段２４とを含む。
2015504265.tif 000002
【特許請求の範囲】
【請求項１】
モバイル通信システム（３００）内のモバイル・トランシーバ（１００）の装置（１０）であって、
第１周波数レイヤ上で前記モバイル通信システム（３００）の基地局トランシーバ（２００；３０５）から周波数間測定の周期的測定構成に関する情報を受信する手段（１２）であって、前記周波数間測定は、前記モバイル・トランシーバ（１００）が、速度しきい値未満の速度で移動している時に、少なくとも２つの反復サイクルの間に第２周波数レイヤ上の別の基地局トランシーバのカバレージ・エリア（３１５）内に位置するようになっている反復サイクルを有する前記第２周波数レイヤ上の反復測定を指す、受信する手段（１２）と、
周波数間測定結果を入手するために前記周期的測定構成に関する前記情報に基づいて、前記第２周波数レイヤ上で無線信号を測定する手段（１４）と、
前記周波数間測定結果がしきい判断基準を満たす時に、前記モバイル通信システム（３００）の前記基地局トランシーバ（２００；３０５）に前記周波数間測定結果に関する情報を報告する手段（１６）と
を含む装置（１０）。
【請求項２】
前記反復サイクルは、６４０ｍｓ以上であり、前記反復サイクルは、前記モバイル・トランシーバ（１００）の不連続受信サイクル以上であり、かつ／または前記反復サイクルは、第３世代パートナーシップ・プロジェクト、技術仕様３６．１０１  ｖ１０．４．０（２０１１年０９月）と比較して緩和された性能要件が達成されるようになっている、請求項１に記載の装置（１０）。
【請求項３】
前記装置（１０）は、前記基地局トランシーバ（２００；３０５）に関連付けられ、前記受信する手段（１２）は、前記装置（１０）と前記基地局トランシーバ（２００；３０５）との間の専用接続を介して前記周波数間測定の前記周期的測定構成に関する前記情報を受信するように動作可能であり、かつ／または前記装置（１０）は、アイドル・モードであり、前記受信する手段（１２）は、前記基地局トランシーバ（２００；３０５）によってブロードキャストされた情報として前記周波数間測定の前記周期的測定構成に関する前記情報を受信するように動作可能である、請求項１に記載の装置（１０）。
【請求項４】
前記周波数間測定結果に関する前記情報は、前記第２周波数レイヤ上で動作可能である基地局トランシーバまたはセル（３１５）の物理セルＩＤを含み、かつ／または前記測定構成に関する前記情報は、前記第２周波数レイヤ上で動作可能な基地局トランシーバ（３１５）を示す物理セルＩＤのリストを含み、測定する前記手段（１４）は、物理セルＩＤのリスト内で示される前記基地局トランシーバ（３１５）の無線信号を測定するように動作可能である、請求項１に記載の装置（１０）。
【請求項５】
前記周期的測定構成に関する前記情報は、反復時間ウィンドウに関する情報を含み、測定する前記手段（１４）は、時間ウィンドウあたり少なくとも１回、前記第２周波数レイヤ上で前記無線信号を測定するように動作可能であり、かつ／または前記周期的測定構成に関する前記情報は、前記時間ウィンドウ内で行うべき測定の回数に関する情報をさらに含み、測定する前記手段（１４）は、時間ウィンドウ内に前記回数の測定を実行するように動作可能である、請求項４に記載の装置（１０）。
【請求項６】
モバイル通信システム（３００）内の基地局トランシーバ（２００；３０５）の装置（２０）であって、
第１周波数レイヤ上で前記モバイル通信システム（３００）のモバイル・トランシーバ（１００）に周波数間測定の周期的測定構成に関する情報を提供する手段（２２）であって、前記周波数間測定は、前記モバイル・トランシーバ（１００）が、速度しきい値未満の速度で移動している時に、少なくとも２つの反復サイクルの間に第２周波数レイヤ上の別の基地局トランシーバのカバレージ・エリア（３１５）内に位置するようになっている反復サイクルを有する前記第２周波数レイヤ上の反復測定を指す、提供する手段（２２）と、
前記モバイル・トランシーバ（１００）から周波数間測定結果に関する情報を受信する手段（２４）と
を含む装置（２０）。
【請求項７】
前記反復サイクルは、６４０ｍｓ以上であり、前記反復サイクルは、前記モバイル・トランシーバ（１００）について構成された不連続受信サイクル以上であり、かつ／または前記反復サイクルは、第３世代パートナーシップ・プロジェクト、技術仕様３６．１０１  ｖ１０．４．０（２０１１年０９月）と比較して緩和された性能要件が達成されるようになっている、請求項６に記載の装置（２０）。
【請求項８】
前記装置（２０）は、前記モバイル・トランシーバ（１００）に関連付けられ、提供する前記手段（２２）は、前記モバイル・トランシーバ（１００）と前記装置（２０）との間の専用接続を介して前記周波数間測定の前記周期的測定構成に関する前記情報を提供するように動作可能であり、かつ／または前記モバイル・トランシーバ（１００）は、アイドル・モードであり、提供する前記手段（２２）は、ブロードキャスト情報として前記周波数間測定の前記周期的測定構成に関する前記情報を提供するように動作可能である、請求項６に記載の装置（２０）。
【請求項９】
前記周波数間測定結果に関する前記情報は、前記第２周波数レイヤ上で動作可能である基地局トランシーバ（３１５）の物理セルＩＤを含み、かつ／または提供する前記手段（２２）は、前記周波数間測定結果に関する前記情報の前記受信の後に、前記モバイル・トランシーバ（１００）にハンドオーバ指示に関する情報を提供するように動作可能であり、かつ／または前記測定構成に関する前記情報は、前記第２周波数レイヤ上で動作可能な基地局トランシーバまたはセル（３１５）を示す物理セルＩＤのリストを含み、前記リストの前記第２周波数レイヤ上で動作可能な前記基地局トランシーバまたはセル（３１５）は、前記第１周波数レイヤ上の前記基地局トランシーバ（２００；３０５）の前記カバレージ・エリアより小さい、前記第２周波数レイヤ上のカバレージ・エリアを有する１つまたは複数の基地局トランシーバまたはセル（３１５）を含む、請求項６に記載の装置（２０）。
【請求項１０】
前記周期的測定構成に関する前記情報は、反復時間ウィンドウに関する情報を含み、かつ／または前記周期的測定構成に関する前記情報は、時間ウィンドウ内に行うべき測定の回数に関する情報を含み、かつ／または前記周期的測定構成に関する前記情報は、反復時間ウィンドウに関する情報を含み、前記装置（２０）は、前記モバイル・トランシーバ（１００）が、速度しきい値よりゆっくり移動している時に、前記第２周波数レイヤ上で小セル（３１５）の中心を通る直線に沿って移動する時に少なくとも２回の周波数間測定を実行し、前記速度しきい値より速く移動している時に、前記第２周波数レイヤ上で前記小セル（３１５）の前記中心を通る直線に沿って移動する時に単一の測定を実行するように時間ウィンドウの持続時間を適合させる手段をさらに含む、請求項６に記載の装置（２０）。
【請求項１１】
前記周波数間測定結果に関する情報に基づいて、前記第２周波数レイヤのセル（３１５）への前記モバイル・トランシーバ（１００）の近接を検出する手段をさらに含み、かつ／または提供する前記手段（２２）は、前記周波数間測定結果に関する前記情報の前記受信に応答して、前記モバイル・トランシーバ（１００）に別の周波数間測定に関する情報を提供するように動作可能である、請求項６に記載の装置（２０）。
【請求項１２】
請求項１に記載の前記モバイル・トランシーバ装置（１０）を含むモバイル・トランシーバ（１００）、請求項６に記載の前記基地局トランシーバ装置（２０）を含む基地局トランシーバ（２００；３０５）、ならびに／または前記モバイル・トランシーバ（１００）および／もしくは前記基地局トランシーバ（２００；３０５）を含むモバイル通信システム（３００）。
【請求項１３】
モバイル通信システム（３００）内のモバイル・トランシーバ（１００）の方法であって、
第１周波数レイヤ上で前記モバイル通信システム（３００）の基地局トランシーバ（２００；３０５）から周波数間測定の周期的測定構成に関する情報を受信するステップ（３２）であって、前記周波数間測定は、前記モバイル・トランシーバ（１００）が、速度しきい値未満の速度で移動している時に、少なくとも２つの反復サイクルの間に第２周波数レイヤ上の別の基地局トランシーバのカバレージ・エリア（３１５）内に位置するようになっている反復サイクルを有する前記第２周波数レイヤ上の反復測定を指す、受信するステップ（３２）と、
周波数間測定結果を入手するために前記周期的測定構成に関する前記情報に基づいて、前記第２周波数レイヤ上で無線信号を測定するステップ（３４）と、
前記周波数間測定結果がしきい判断基準を満たす時に、前記モバイル通信システム（３００）の前記基地局トランシーバ（２００；３０５）に前記周波数間測定結果に関する情報を報告するステップ（３６）と
を含む方法。
【請求項１４】
モバイル通信システム（３００）内の基地局トランシーバ（２００；３０５）の方法であって、
第１周波数レイヤ上で前記モバイル通信システム（３００）のモバイル・トランシーバ（１００）に周波数間測定の周期的測定構成に関する情報を提供するステップ（４２）であって、前記周波数間測定は、前記モバイル・トランシーバ（１００）が、速度しきい値未満の速度で移動している時に、少なくとも２つの反復サイクルの間に第２周波数レイヤ上の別の基地局トランシーバのカバレージ・エリア（３１５）内に位置するようになっている反復サイクルを有する前記第２周波数レイヤ上の反復測定を指す、提供するステップ（４２）と、
前記モバイル・トランシーバ（１００）から周波数間測定結果に関する情報を受信するステップ（４４）と
を含む方法。
【請求項１５】
コンピュータ・プログラムがコンピュータまたはプロセッサ上で実行される時に、請求項１４または１５に記載の方法のうちの１つを実行するプログラム・コードを有するコンピュータ・プログラム。
【発明の詳細な説明】
【技術分野】
【０００１】
本発明の実施形態は、無線通信に関し、排他的にではなくより具体的には、モバイル通信システムの複数の周波数レイヤの間の周波数間測定に関する。
【背景技術】
【０００２】
モバイル通信ネットワークでは、異種アーキテクチャが、ますます重要になる。異種ネットワーク（ＨｅｔＮｅｔ）は、たとえばマクロセル、ピコセル、およびフェムトセルとして、異なるサイズのセル・タイプを利用するネットワークである。そのようなセルは、そのカバレージ・エリアがその送信電力および干渉条件によって決定される基地局トランシーバによって確立される。ピコセルおよびフェムトセルは、マクロセルより小さいカバレージ・エリアを有するセルである。いくつかのネットワーク・シナリオでは、小セルのカバレージ・エリアは、マクロセルのカバレージ・エリアによって囲まれる可能性がある。小セルは、ネットワークの容量を拡大するために展開される可能性がある。標準化に関して、第３世代パートナーシップ・プロジェクト（３ＧＰＰ）内では、ＨｅｔＮｅｔが、ロング・ターム・エボリューション・アドバンスド（ＬＴＥ−Ａ）ワーク・アイテムの範囲に追加された。そのようなネットワーク内のセルまたは基地局は、同一の周波数リソースを利用する可能性があるので、そのようなアーキテクチャは、これらのセルのオーバーラップするカバレージ・エリアによって作られる干渉から損害を受ける可能性がある。
【０００３】
ＨｅｔＮｅｔ展開は、特にタウン・センタなどのホット・スポットで、システム容量を増やし、大量のトラフィックを処理するのに使用される。小セル、たとえばピコセルが、これらのホット・スポット内に展開される可能性がある。マクロセルは、ユーザ機器（ＵＥ）が小セルまたはピコセルの付近にある時に、モバイル・トランシーバまたはＵＥを小セルにオフロードすることによって、システム内の負荷を平衡化することができる。オフロードされたＵＥには、特にピコセルがマクロセルとは異なる周波数レイヤで動作可能である時に、高スループットを有するピコセルによってサービスすることができる。
【先行技術文献】
【非特許文献】
【０００４】
【非特許文献１】３ＧＰＰ仕様の技術仕様（ＴＳ）２５．３３１系列
【非特許文献２】３ＧＰＰ仕様のＴＳ  ３６．３３１系列
【非特許文献３】第３世代パートナーシップ・プロジェクト、技術仕様３６．１０１  ｖ１０．４．０（２０１１年０９月）
【非特許文献４】ＴＳ  ３６．３００、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ  ２；Ｖ１０．４．０、（２０１１年６月）のセクション１０．５．１．２
【発明の概要】
【課題を解決するための手段】
【０００５】
諸実施形態は、ネットワークが小セルへのＵＥのオフロードを実行するために、小セルがＵＥによって発見される必要があるという発見に基づく。さらに、小セルは、ネットワーク内で必要に応じてオペレータによって展開される可能性がある。小セルが非常に狭い地理的エリアだけをカバーし、ＵＥが速く移動しつつある可能性があることを考慮すると、ＵＥが、非常に短い時間期間の間にのみ小セルのカバレージ・エリア内にいる場合があることが、さらなる発見である。ＵＥが、小セルカバレージから離れて移動するや否や、そのＵＥは、サービスされるためにマクロセルにハンドオーバされる必要があり、これが、追加のシグナリングを必要とする。諸実施形態は、速く移動するＵＥの小セルへのオフロードが、有益ではない場合があるという発見に基づく。さらに、速く移動するＵＥのハンドオーバを回避できる時には、ハンドオーバに起因するハンドオーバ・シグナリングおよびユーザ・スループットヘの割込みを減らすことができる。さらに、セル・ディスカバリのためのシグナリングを減らすことができることが、１つの発見である。
【０００６】
諸実施形態は、多くのシグナリングをこうむらず、それと同時に速く移動するＵＥが小セルにオフロードされるのを防ぐ、小セルのディスカバリに使用できる概念を提供することができる。諸実施形態は、従来の周波数間測定手順が、異なる周波数レイヤでの小セル・ディスカバリに不利であるという発見に基づく。周波数間測定について、ネットワークは、測定ギャップを構成することができ、周波数間測定を実行するようにＵＥに要求することができる。言い替えると、周波数間測定がトリガされる時に、そのトリガは、ネットワーク判断に基づき、一般に、サービング・セル信号品質を含むかこれに依存する。したがって、周波数間ハンドオーバを実行する必要がある場合には、ネットワークは、周波数間測定を実行するようにＵＥに要求することができる。
【０００７】
従来の方法が、小（ピコ）セル・ディスカバリに十分ではない可能性があることが、１つの発見である。ピコセルは、ホット・スポット位置を充填するために、すなわち、高トラフィック領域で無線容量を増やすためにオペレータによって展開され、ネットワークのユーザは、そのピコセルへのアクセスを有する。これとは反対に、いわゆるＨｏｍｅ  ｅｎｈａｎｃｅｄ  Ｎｏｄｅ  Ｂ（ＨｅＮＢ）があり、ＨｅＮＢは、ユーザの世帯内に設置することができ、アクセス制限を有する。ＨｅＮＢは、限定加入者グループ（ＣＳＧ）を働かせることができる、すなわち、そのようなＨｅＮＢへのアクセスは、ユーザの小さいグループすなわちＣＳＧについてのみ使用可能にされる。したがって、小セルまたはピコセルは、ＨｅＮＢとは異なる。さらに、所与のＵＥについてシステム内で許容されるＨｅＮＢの個数は、どちらかといえば少なく、たとえば約１個または２個であり、また、地理的位置、たとえばユーザの自宅は、通常はＵＥによって既知である。もう１つの発見によれば、ＨｅＮＢシナリオとは対照的に、同一のマクロｅＮＢに属するまたはそのカバレージ・エリア内に配置された多数の小セルがある場合があり、ＵＥは、これらのセルのすべてへのアクセスを許されるものとすることができる。したがって、すべての小セルの位置を格納することは、ＵＥにとってむずかしく、大きいシグナリング・オーバーヘッドを伴うはずである。さらに、ＵＥが以前に訪問したことがなく、ＵＥがその知識を有しない領域内に多数のピコセルがある可能性がある。したがって、ＵＥの自律検索に基づく近接推定法は、自律検索がＵＥバッテリを不必要に消耗させるので、小セル・ディスカバリに不適切であるということが、１つの発見である。
【０００８】
諸実施形態は、さらに、小セルシナリオへの、周波数間測定およびＨｅＮＢセル近接推定の既存の方法の適合が、大きいシグナリング・オーバーヘッドにつながり、ＵＥの速度に対する依存性を提供しないはずであるという発見に基づく。したがって、諸実施形態は、ゆっくり移動する（低速）ＵＥの小セル・ディスカバリの装置、方法、およびコンピュータ・プログラムを提供することができる。
【０００９】
諸実施形態は、モバイル通信システム内でのモバイル・トランシーバの装置を提供する、すなわち、諸実施形態は、モバイル・トランシーバによって操作されまたはこれに含まれる前記装置を提供することができる。以下では、装置を、モバイル・トランシーバ装置とも称し、用語モバイル通信システムおよびモバイル通信ネットワークは、同義に使用される。
【００１０】
モバイル通信システムは、たとえば、第３世代パートナーシップ・プロジェクト（３ＧＰＰ）によってＵｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）またはＥｖｏｌｖｅｄ  ＵＴＲＡＮ（Ｅ−ＵＴＲＡＮ）として標準化されたモバイル通信システム、たとえば、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）もしくはＥｎｈａｎｃｅｄ  Ｄａｔａ  Ｒａｔｅｓ  ｆｏｒ  ＧＳＭ  Ｅｖｏｌｕｔｉｏｎ（ＥＤＧＥ）ネットワーク、ＧＳＭ／ＥＤＧＥ  Ｒａｄｉｏ  Ａｃｃｅｓｓ  Ｎｅｔｗｏｒｋ（ＧＥＲＡＮ）、ロング・ターム・エボリューション（ＬＴＥ）もしくはＬＴＥ−Ａｄｖａｎｃｅｄ（ＬＴＥ−Ａ）、または異なる標準規格を用いるモバイル通信システム、たとえば、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷＩＭＡＸ）ＩＥＥＥ  ８０２．１６もしくは無線ローカル・エリア・ネットワーク（ＷＬＡＮ）ＩＥＥＥ  ８０２．１１、一般に、符号分割多元接続（ＣＤＭＡ）、直交周波数分割多元接続（ＯＦＤＭＡ）、周波数分割多元接続（ＦＤＭＡ）、時分割多元接続（ＴＤＭＡ）に基づく任意のシステム、その他のうちの１つに対応することができる。
【００１１】
諸実施形態では、モバイル・トランシーバを、上記のネットワークのうちの１つのモバイル端または無線端のトランシーバ内で実施することができる、すなわち、モバイル・トランシーバは、スマートフォン、セル電話機、ユーザ機器、ラップトップ、ノートブック、パーソナルコンピュータ、携帯情報端末（ＰＤＡ）、ユニバーサル・シリアル・バス（ＵＳＢ）スティック、自動車、その他に対応することができる。
【００１２】
モバイル・トランシーバ装置は、第１周波数レイヤ上でモバイル通信システムの基地局トランシーバから周波数間測定の周期的測定構成に関する情報を受信する手段を含み、周波数間測定は、モバイル・トランシーバが、速度しきい値未満の速度で移動している時に、少なくとも２つの反復サイクルの間に第２周波数レイヤ上の別の基地局トランシーバのカバレージ・エリア内に位置するようになっている反復サイクルを有する第２周波数レイヤ上の反復測定を指す。言い替えると、モバイル・トランシーバ装置は、基地局トランシーバから周期的測定構成に関する情報を受信する。受信する手段は、モバイル通信システムの信号を受信するように動作可能な受信器に対応することができる、すなわち、受信する手段は、アンテナ、フィルタ、低雑音増幅器、その他を含むことができる。他の実施形態では、受信器は、さらなる処理のための受信信号が受信される、単なる電気的接点とすることができる。受信信号は、既に、周期的周波数間測定構成に関する情報を含むディジタル信号またはプロトコル・ユニットとすることができる。言い替えると、受信する手段は、周期的測定構成に関する情報を受け取るように動作可能なインターフェースに対応することができ、この周期的測定構成は、異なる実施形態では異なる信号処理レベルにあるものとすることができる。
【００１３】
基地局トランシーバは、上で引用された通信システムのうちの１つに準拠することができる。そのような基地局トランシーバを、ネットワークの固定部分または静止部分に配置することができ、そのような基地局トランシーバは、リモート・ラジオ・ヘッド、アクセス・ポイント、マクロセル、小セル、マイクロセル、フェムトセル、その他に対応することができる。基地局トランシーバは、有線ネットワークの無線インターフェースとすることができ、この無線インターフェースは、ユーザ機器またはモバイル・トランシーバへの無線信号の送信を可能にする。そのような無線信号は、たとえば第３世代パートナーシップ・プロジェクト（３ＧＰＰ）によって標準化された無線信号に準拠し、または、一般に、上にリストされたシステムのうちの１つまたは複数と一致するものとすることができる。したがって、基地局トランシーバは、ＮｏｄｅＢ、ｅＮｏｄｅＢ、アクセス・ポイント、その他に対応することができる。第１周波数レイヤおよび第２周波数レイヤは、モバイル通信システムの２つの周波数レイヤまたは搬送波に対応することができる。いくつかの実施形態では、第１周波数レイヤおよび第２周波数レイヤは、異なるシステムまたはオペレータの周波数レイヤまたは搬送波に対応することができる。
【００１４】
諸実施形態では、モバイル・トランシーバ装置を、基地局トランシーバに関連付けることができ、受信する手段は、モバイル・トランシーバと基地局トランシーバとの間の専用接続を介して周波数間測定の周期的測定構成に関する情報を受信するように動作可能とすることができる。モバイル・トランシーバを、第１周波数レイヤ上で基地局トランシーバまたはセルに関連付けることができる。用語セルは、それぞれ基地局トランシーバまたはＮｏｄｅＢ、ｅＮｏｄｅＢによって提供される無線サービスのカバレージ・エリアを指す。基地局トランシーバは、１つまたは複数の周波数レイヤ上で複数のセルを動作させることができ、いくつかの実施形態では、１つのセルが１つのセクタに対応することができる。たとえば、セクタを、セクタ・アンテナを使用して達成することができ、このセクタ・アンテナは、リモート・ユニットまたは基地局トランシーバの周囲の角度セクションをカバーする特性を提供する。いくつかの実施形態では、基地局トランシーバは、たとえば、それぞれ１２０°（３セルの場合）、６０°（６セルの場合）のセクタをカバーする３つまたは６つのセルを動作させることができる。モバイル・トランシーバを、セルに登録しまたは関連付けることができる、すなわち、ネットワークと関連するセルのカバレージ・エリア内のモバイルとの間で専用のチャネル、リンク、または接続を使用してデータを交換できるように、モバイル・トランシーバをセルに関連付けることができる。
【００１５】
したがって、セルは、基地局トランシーバによって動作させられ、カバレージ・エリアとみなすことができ、カバレージ・エリアは、たとえばパイロット・チャネルとしてそれぞれの識別を有する基準チャネルまたはブロードキャスト・チャネルを介して識別され得る。モバイル・トランシーバが、セルにペイロード・データを送信できるようになる前に、モバイル・トランシーバは、セルに登録し、関連付け、または接続しなければならない。セルに登録していないモバイル・トランシーバは、いわゆるアイドル・モードであり、登録されたモバイル・トランシーバは、アクティブ・モードまたは接続モードである。３ＧＰＰ仕様の１つの著名なプロトコルが、無線リソース制御（ＲＲＣ）プロトコルであり、３ＧＰＰ仕様の技術仕様（ＴＳ）２５．３３１／３６．３３１系列を参照されたい。ＲＲＣは、ハンドオーバ・シグナリング、測定構成、セル再選択、再構成、その他として、モバイル・トランシーバの無線リソース管理の複数の手順を指定する。モバイル・トランシーバが、それぞれのネットワーク・エンティティ、たとえばＮｏｄｅＢ、無線ネットワーク制御装置（ＲＮＣ）、ｅＮｏｄｅＢ、その他へのＲＲＣ接続を確立した後に、ネットワーク・エンティティは、それぞれの手順をトリガすることができ、これが、関連するモバイル・トランシーバがＲＲＣ接続モードであるとも呼ばれる理由である。
【００１６】
ＲＲＣコンテキストが確立されていない場合には、モバイル・トランシーバは、ＲＲＣアイドル・モードであるとも呼ばれる。諸実施形態では、装置は、アイドル・モードとすることができ、たとえば、モバイル・トランシーバは、ＲＲＣアイドルとすることができ、受信する手段は、基地局トランシーバによってブロードキャストされた情報として周波数間測定の周期的測定構成に関する情報を受信するように動作可能とすることができる。アイドル・モードのモバイル・トランシーバによってブロードキャスト・チャネルを介して受信されるそのような情報は、周波数間測定が実行されなければならないことを示すインジケータまたは第２周波数レイヤ上の小セルもしくはピコセルの存在を示すインジケータに対応することができる。いくつかの実施形態では、そのようなインジケータは、単一のビットに対応することができる。いくつかの実施形態では、周波数間測定の特定の構成を、モバイル・トランシーバで事前に構成することができる。というのは、たとえば、モバイル・トランシーバが以前に接続モードまたは関連するモードであった時にその構成を受信したから、またはその構成をブロードキャスト・チャネルを使用して提供することもできるからである。
【００１７】
上記によれば、モバイル・トランシーバは、周期的周波数間測定構成を与えられる。モバイル・トランシーバは、その後、第２周波数レイヤ上の周期的測定を実行することができる。モバイル・トランシーバ装置は、周波数間測定結果を入手するために、周期的測定構成に関する情報に基づいて第２周波数レイヤ上で無線信号を測定する手段を含む。測定する手段は、第２周波数レイヤの無線信号を受信し、受信信号の品質測定値を測定結果として入手するように動作可能な受信器に対応することができる。たとえば、品質測定値は、信号対雑音比（ＳＮＲ）、信号対雑音干渉比（ＳＩＮＲ）、ビット誤り率（ＢＥＲ）、フレーム誤り率（ＦＥＲ）、受信信号符号電力（ＲＳＣＰ）、受信信号強度インジケータ（ＲＳＳＩ）、その他に対応することができる。受信する手段に関して上で説明したように、測定結果を、上の品質測定値が既に示すように、異なる信号処理レベルで入手することができる。測定する手段は、たとえばＳＮＲもしくはＳＩＮＲに関して物理層で、またはたとえばＢＥＲもしくはＦＥＲに関して上位層で、無線信号を測定するように動作可能とすることができる。
【００１８】
モバイル・トランシーバ装置は、さらに、周波数間測定結果がしきい判断基準を満たす時に、モバイル通信システムの基地局トランシーバに周波数間測定結果に関する情報を報告する手段を含む。提供する手段を、たとえばアンテナ、増幅器、フィルタ、その他を含む、送信器として実施することができる。他の実施形態では、提供する手段は、測定結果を表す信号、たとえばディジタル信号またはプロトコル・ユニット、その他が提供される電気的接点に対応することができる。提供する手段は、第２周波数レイヤ上の無線信号の信号品質が、あるしきい値を超えるすなわちしきい判断基準を満たすことを品質測定値が示す場合に、周波数間測定結果に関する情報を提供するように動作可能である。その結果、異なる実施形態では、異なるしきい値、たとえば、ＳＮＲしきい値、ＳＩＮＲしきい値、ＲＳＣＰしきい値、ＲＳＳＩしきい値、ＢＥＲしきい値、ＦＥＲしきい値、その他などが、処理チェーンの異なるレベルに対応して考えられる。
【００１９】
さらに、諸実施形態は、モバイル通信システム内の基地局トランシーバの装置を提供する、すなわち、諸実施形態は、基地局トランシーバによって操作されまたはこれに含まれる前記装置を提供することができる。以下では、この装置を、基地局トランシーバ装置とも称する。モバイル通信システムおよび基地局トランシーバは、上で説明したモバイル通信システムまたは基地局トランシーバのうちの１つに対応することができる。
【００２０】
モバイル・トランシーバ装置に関して上で説明したものと一致して、基地局トランシーバ装置は、第１周波数レイヤ上でモバイル通信システムのモバイル・トランシーバに周波数間測定の周期的測定構成に関する情報を提供する手段を含み、周波数間測定は、モバイル・トランシーバが、速度しきい値未満の速度で移動している時に、少なくとも２つの反復サイクルの間に第２周波数レイヤ上の別の基地局トランシーバのカバレージ・エリア内に位置するようになっている反復サイクルを有する第２周波数レイヤ上の反復測定を指す。さらに、基地局トランシーバ装置は、モバイル・トランシーバから周波数間測定結果に関する情報を受信する手段を含む。受信する手段は、上の通信システムと一致して、モバイル・トランシーバから無線信号を受信するように動作可能な受信器に対応することができる。したがって、受信する手段は、アンテナ、フィルタ、低雑音増幅器、その他を含むことができる。他の実施形態では、受信する手段は、一致した情報を含む受信信号をそこで入力できる電気的接点に対応することができる。やはり、上記と一致して、受信信号は、処理チェーンの異なるレベルにあるものとすることができる。
【００２１】
したがって、基地局トランシーバ装置は、第２周波数レイヤのセルまたは信号が、モバイル・トランシーバによって測定され、品質しきい判断基準を満たす時に、測定レポートを受信する。モバイル・トランシーバの異なる状態すなわちアイドル・モードおよび接続モードに関して上で説明したものと一致して、基地局トランシーバ装置を、モバイル・トランシーバに関連付けることができ、提供する手段は、モバイル・トランシーバと基地局トランシーバとの間の専用接続を介して周波数間測定の周期的測定構成に関する情報を提供するように動作可能とすることができる。モバイル・トランシーバは、アイドル・モードであることもでき、提供する手段は、ブロードキャスト情報として周波数間測定の周期的測定構成に関する情報を提供するように動作可能とすることができる。
【００２２】
諸実施形態は、ＲＲＣ接続されたＵＥを、低いレートで、たとえば１秒より長い反復サイクルを用いて実行される周波数間測定を用いて構成することができるという利点を提供する。長い反復サイクルは、ＵＥがバックグラウンドで測定を実行することを可能にすることができる。さらなる実施形態では、反復サイクルは、１００ｍｓ、２００ｍｓ、３００ｍｓ、５００ｍｓ、６４０ｍｓ、１秒、２秒、３秒、５秒、１０秒、２０秒、３０秒、１分、２分、３分、５分、その他より長い時間に対応することができる。諸実施形態では、反復サイクルを、６４０ｍｓ以上とすることができる。反復サイクルを、たとえば３ＧＰＰ  ＴＳ  ３６．３３１  ｖ１０．３．０（２０１１年０９月）で指定される、モバイル・トランシーバの不連続受信（ＤＲＸ）サイクル以上とすることができる。いくつかの実施形態では、６４０ｍｓ以上の値を、反復サイクルに使用することができる。この値は、ＲＲＣ仕様（３６．３３１  ｖ１０．３．０（２０１１年０９月））で定義された最長の「ｓｈｏｒｔ  ＤＲＸ」値に対応する。ＲＲＣ接続されたＵＥを、「ｓｈｏｒｔ  ＤＲＸ」または「ｌｏｎｇ  ＤＲＸ」を用いて構成することができる。測定反復サイクルが、「ｓｈｏｒｔ  ＤＲＸ」の最長の構成可能な値以上である場合には、これを、緩和された測定と考えることができる。諸実施形態では、反復サイクルは、第３世代パートナーシップ・プロジェクト、技術仕様３６．１０１  ｖ１０．４．０（２０１１年０９月）と比較して緩和された性能要件が達成されるようなものとすることができる。
【００２３】
諸実施形態では、周期的測定構成に関する情報は、反復時間ウィンドウに関する情報を含むことができる。時間ウィンドウは、その間に周波数間測定を実行しなければならない期間に対応することができる。期間は、反復サイクルの上でリストした持続時間のうちの１つに対応することができる。諸実施形態では、反復時間ウィンドウを、始点、終点、持続時間、反復回数、その他のグループの１つまたは複数の要素によって定義することができる。これらのパラメータを、相対的な形で、たとえば、無線フレーム番号、ハイパー・フレーム番号、タイム・スロット、送信時間間隔（Ｔｉｍｅ  Ｔｒａｎｓｍｉｓｓｉｏｎ  Ｉｎｔｅｒｖａｌ、ＴＴＩ）、その他に対して相対的に提供することができる。測定する手段は、時間ウィンドウあたり少なくとも１回、第２周波数レイヤ上で無線信号を測定するように動作可能とすることができる。さらなる実施形態では、周期的測定構成に関する情報は、さらに、時間ウィンドウ内に行うべき測定の回数に関する情報を含むことができ、測定する手段は、時間ウィンドウ内にその回数の測定を実行するように動作可能とすることができる。
【００２４】
諸実施形態は、周波数間測定の性能要件を、ハンドオーバ目的の周波数間測定と比較して緩和できるという利点を提供することができる。たとえば、測定構成は、より長い周期数を有する周期的測定を使用することができる。これを用いて、ＵＥは、たとえばハンドオーバ目的に関する通常の無線リソース管理に必要なものと同一の周期数を有する周波数間測定を実行しないものとすることができる。
【００２５】
基地局トランシーバ装置は、時間ウィンドウの持続時間を適合させる手段をさらに含むことができる。適合させる手段を、続きで詳細に述べるように、アダプタ、コントローラ、プロセッサ、有利なウィンドウ・サイズを判定する任意の手段として実施することができる。ウィンドウ・サイズは、モバイル・トランシーバが、第２周波数レイヤ上の小セルの中心を通る直線に沿って移動しつつある間に、速度しきい値よりゆっくり移動する時には少なくとも２つの周波数間測定を実行するように適合され得る。言い替えると、諸実施形態は、ネットワークが、モバイル・トランシーバの速度およびそれぞれのセル・サイズに基づいて、モバイル・トランシーバの周波数間測定の反復を適合させることができるという利点を提供することができる、すなわち、周波数間測定を、速く移動するＵＥが第２周波数レイヤ内の小セルの所与の地理的サイズについて第２周波数レイヤ内で小セルのしきい判断基準を超え無線信号を２回測定することができなくなるように、適合させることができる。しかし、ゆっくり移動するＵＥは、しきい判断基準を満たす小セルからの無線信号を複数回測定するのに十分に長く第２周波数レイヤ内の小セルのカバレージ・エリア内にいることができるはずである。すなわち、モバイル・トランシーバは、速度しきい値より速く移動する時に、第２周波数レイヤ上の小セルの中心を通る直線に沿って移動する時に単一の測定を実行することができる。したがって、諸実施形態は、周波数間測定報告を、第２周波数レイヤ上のネットワークの地理的特性およびモバイル・トランシーバのモビリティ特性に適合させることができるという利点を提供することができる。諸実施形態では、速度しきい値は、たとえば、１ｍｐｈ、３ｍｐｈ、５ｍｐｈ、１０ｍｐｈ、２０ｍｐｈ、３０ｍｐｈ、５０ｍｐｈ、１ｋｍｈ、３ｋｍｈ、５ｋｍｈ、１０ｋｍｈ、２０ｋｍｈ、３０ｋｍｈ、５０ｋｍｈ、その他に対応することができる。
【００２６】
さらに、さらなる実施形態では、基地局トランシーバ装置は、周波数間測定結果に関する情報に基づいて、第２周波数レイヤのセルへのモバイル・トランシーバの近接を検出する手段を含むことができる。言い替えると、周波数間測定結果に基づいて、基地局トランシーバ装置は、第２周波数レイヤ内の小セルへのモバイル・トランシーバの近接を検出することができる。検出する手段を、検出器、もしくはプロセッサ、または、たとえば測定レポートが小セルとして参照するセルを識別することができる任意のデバイスとして実施することができる。さらに、提供する手段は、周波数間測定結果に関する情報の受信に応答して、モバイル・トランシーバに別の周波数間測定に関する情報を提供するように動作可能とすることができる。言い替えると、測定結果が受信された後に、モバイル・トランシーバを、ネットワークがよりよいまたはより有利なハンドオーバ判断を行うことを可能にする別の周波数間測定値を用いて再構成することができる。たとえば、別の周波数間測定値は、ＵＥに、より頻繁な測定を行うように、またはさらなる品質測定値を測定するように指示することができる。
【００２７】
周波数間測定結果を入手するための周期的測定構成に関する情報を用いて構成されたＵＥは、しきい判断基準として構成された測定しきい値を満たす場合に、測定報告を実行することができる。その後、ＵＥは、しきい値を満たす周波数間セルの物理セルＩＤ（ＰＣＩ）をネットワークに報告することができる。すなわち、諸実施形態で、周波数間測定結果に関する情報は、第２周波数レイヤ上で動作可能である基地局トランシーバまたはセルの物理セルＩＤを含むことができる。基地局トランシーバは、第２周波数レイヤ内で１つまたは複数のセルを確立することができる。ＰＣＩは、基地局トランシーバ装置が、たとえばモバイル・トランシーバがゆっくり移動しつつあり、報告されるセルが第２周波数レイヤ内の小セルである時に、報告されるセルが、それへのモバイル・トランシーバのハンドオーバが有益であるセルであるかどうかを判定することを可能にすることができる。基地局トランシーバ装置の提供する手段は、周波数間測定結果に関する情報の受信の後に、モバイル・トランシーバにハンドオーバ指示に関する情報を提供するように動作可能とすることができる。
【００２８】
諸実施形態では、モバイル・トランシーバ装置を、複数のＰＣＩを含む単一の周波数間レポート・メッセージを使用して、複数の基地局トランシーバまたはセルについて報告するように適合させることができる。すなわち、報告される周波数間ＰＣＩに基づいて、ネットワークは、ＵＥが小セルの付近にあるかどうかを識別することができる。
【００２９】
もう１つの実施形態では、ＵＥを、小セルＰＣＩリストを用いて構成することができ、ＵＥは、リストから小セルを見つける場合にのみ測定値報告を実行する。言い替えると、測定構成に関する情報は、第２周波数レイヤ上で動作可能な基地局トランシーバまたはセルを示す物理セルＩＤのリストを含むことができる。測定する手段は、物理セルＩＤのリスト内で示される基地局トランシーバの無線信号を測定するように動作可能とすることができる。リストの第２周波数レイヤ上で動作可能な基地局トランシーバまたはセルは、小セルまたはピコセルに対応することができる。リストは、モバイル・トランシーバを関連付けることができる、第１周波数レイヤ上の基地局トランシーバのカバレージ・エリア（マクロセル）より小さい、第２周波数レイヤ上のカバレージ・エリアを有する１つまたは複数の基地局トランシーバまたはセルを含むことができる。
【００３０】
第２周波数レイヤ上のカバレージ・エリアを有する１つまたは複数の基地局トランシーバまたはセルは、モバイル・トランシーバを関連付けることができる第１周波数レイヤ上の基地局トランシーバのカバレージ・エリア（マクロセル）のサイズの半分未満を有することができる。リストに含まれる第２周波数レイヤ上の１つまたは複数の基地局トランシーバまたはセルは、小セルまたはピコセルに対応することができ、第１周波数レイヤ上の基地局トランシーバは、マクロセルに対応することができる。いくつかの実施形態について、異なるセル・サイズを、そのカバレージ・エリアの直径によって区別することができる。たとえば、マクロセルは、１ｋｍ、２ｋｍ、または３ｋｍより大きい直径を有するセルに対応することができる。小セルは、マクロセルの直径より小さいすなわち、１ｋｍ、２ｋｍ、または３ｋｍより小さい直径を有するセルに対応することができる。ピコセルは、小セルの直径より小さい、たとえば５００ｍ、２００ｍ、または１００ｍより小さい直径を有するセルに対応することができる。
【００３１】
諸実施形態によって可能にすることができる長い周期数および緩和された性能要件に起因して、小セル発見のためのＵＥによる測定の回数は、ハンドオーバのための測定の回数と比較して、削減される。これを用いて、諸実施形態は、ＵＥによって実行される従来の周波数間測定と比較して、削減されたＵＥバッテリ消費を可能にすることができる。より長い報告期間が許容可能である。というのは、ゆっくり移動するＵＥが、それでも、小セルを見つけ、いくつかの実施形態では、ゆっくり移動するＵＥだけが、小セルに移動されまたはハンドオーバされるからである。さらに、長い周期数は、ピンポン効果をもたらす可能性がある、速く移動するＵＥによってトリガされる小セルへの可能なハンドオーバを回避することもできる。
【００３２】
さらに、諸実施形態に従ってＲＲＣ接続モードで構成され、その後にＲＲＣアイドル・モードに転送するＵＥについて、緩和された周波数間測定構成を、ＲＲＣアイドルでも適用することができる。そのようなＵＥは、その後、周波数間小セル・ディスカバリのために自律的な周波数間検索を実行することができる。そのようなＵＥ自律的検索を、セル内でブロードキャストされる情報すなわち１ビット表示または小セルＰＣＩ範囲によってトリガすることができる。
【００３３】
諸実施形態は、さらに、上で説明したモバイル・トランシーバ装置を含むモバイル・トランシーバ、上で説明した基地局トランシーバ装置を含む基地局トランシーバ、ならびに／またはモバイル・トランシーバおよび／もしくは基地局トランシーバを含むモバイル通信システムを提供することができる。
【００３４】
諸実施形態は、さらに、モバイル通信システム内のモバイル・トランシーバの方法を提供する。この方法は、第１周波数レイヤ上でモバイル通信システムの基地局トランシーバから周波数間測定の周期的測定構成に関する情報を受信するステップを含む。周波数間測定は、モバイル・トランシーバが、速度しきい値未満の速度で移動している時に、少なくとも２つの反復サイクルの間に第２周波数レイヤ上の別の基地局トランシーバのカバレージ・エリア内に位置するようになっている反復サイクルを有する第２周波数レイヤ上の反復測定を指す。この方法は、周波数間測定結果を入手するために周期的測定構成に関する情報に基づいて、第２周波数レイヤ上で無線信号を測定するさらなるステップと、周波数間測定結果がしきい判断基準を満たす時に、モバイル通信ネットワークの基地局トランシーバに周波数間測定結果に関する情報を報告するステップとを含む。
【００３５】
諸実施形態は、さらに、モバイル通信システム内の基地局トランシーバの方法を提供する。この方法は、第１周波数レイヤ上でモバイル通信システムのモバイル・トランシーバに周波数間測定の周期的測定構成に関する情報を提供するステップを含む。周波数間測定は、第２周波数レイヤ上の反復測定を指す。この方法は、モバイル・トランシーバから周波数間測定結果に関する情報を受信するさらなるステップを含む。
【００３６】
諸実施形態は、さらに、コンピュータ・プログラムがコンピュータまたはプロセッサ上で実行される時に、上で説明した方法のうちの１つを実行するプログラム・コードを有するコンピュータ・プログラムを含むことができる。
【００３７】
諸実施形態は、小セルへの速く移動するＵＥの不必要なオフロードを回避することができ、ＲＲＭハンドオーバ測定と比較して必要な測定の回数を減らすことと、用いられるシグナリングをより効率的にすることとによって、よりよいバッテリ消費を有するＵＥを提供することもできる。諸実施形態は、小セル・ディスカバリの効率的な形を提供することができ、したがって、諸実施形態は、モバイル通信システムの負荷平衡化および効率的なシステム・リソース利用を援助することができる。
【００３８】
いくつかの他の特徴または態様を、例としてのみ、添付図面を参照して、装置および／または方法および／またはコンピュータ・プログラムの次の非限定的な実施形態を使用して説明する。
【図面の簡単な説明】
【００３９】
【図１】モバイル・トランシーバ装置の実施形態を示す図である。
【図２】基地局トランシーバ装置の実施形態を示す図である。
【図３】諸実施形態に関するネットワーク・シナリオを示す図である。
【図４ａ】一実施形態を示すメッセージ・シーケンス・チャートである。
【図４ｂ】ＨｅＮＢへのハンドオーバを示すメッセージ・シーケンス・チャートである。
【図５】モバイル・トランシーバの方法の一実施形態を示す流れ図である。
【図６】基地局トランシーバの方法の一実施形態を示す流れ図である。
【発明を実施するための形態】
【００４０】
以下では、いくつかのコンポーネントが、複数の図面に示され、同様の符号は、同様のコンポーネントを示す。繰り返す説明は、簡単にするために回避される場合がある。破線で示された特徴またはコンポーネントは、オプションである。
【００４１】
図１に、モバイル通信システム内のモバイル・トランシーバ１００の装置１０の実施形態を示す。図１の実施形態の通信システムは、ＬＴＥまたはＬＴＥ−Ａ通信システムである。装置１０は、第１周波数レイヤ上でモバイル通信システムの基地局トランシーバ２００から周波数間測定の周期的測定構成に関する情報を受信する手段１２を含む。基地局トランシーバ装置２０および基地局トランシーバ２００は、図２を使用して詳細に説明する。周波数間測定は、反復サイクルを伴う第２周波数レイヤ上での反復測定を指し、この反復サイクルは、モバイル・トランシーバ１００が、速度しきい値未満の速度で移動している時に、少なくとも２つの反復サイクルの間、たとえば１秒または６４０ｍｓより長く、第２周波数レイヤ上の別の基地局トランシーバのカバレージ・エリア３１５内に位置するようになっている。モバイル・トランシーバ装置１０は、さらに、周波数間測定結果を入手するために周期的測定構成に関する情報に基づいて第２周波数レイヤ上で無線信号を測定する手段１４を含む。測定する手段１４は、受信する手段１２に結合される。さらに、モバイル・トランシーバ装置１０は、周波数間測定結果がしきい判断基準を満たす時に、モバイル通信ネットワークの基地局トランシーバ２００に周波数間測定結果に関する情報を報告する手段１６を含む。報告する手段１６は、測定する手段１４に結合される。
【００４２】
図２に、モバイル通信システム内の基地局トランシーバ２００の装置２０の実施形態を示す。基地局トランシーバ装置２０は、第１周波数レイヤ上でモバイル通信システムのモバイル・トランシーバ１００に周波数間測定の周期的測定構成に関する情報を提供する手段２２を含む。周波数間測定は、反復サイクルを伴う第２周波数レイヤ上での反復測定を指し、この反復サイクルは、モバイル・トランシーバ１００が、速度しきい値未満の速度で移動している時に、少なくとも２つの反復サイクルの間、第２周波数レイヤ上の別の基地局トランシーバのカバレージ・エリア３１５内にあるようになっている。基地局トランシーバ装置２０は、さらに、モバイル・トランシーバ１００から周波数間測定結果に関する情報を受信する手段２４を含む。受信する手段２４は、提供する手段２２に結合される。
【００４３】
２つの異なる状況すなわち、モバイル・トランシーバ（１００）がアイドル・モードまたは接続モードであることができる時が、区別される。モバイル・トランシーバが接続モードである、すなわち、装置１０が、基地局トランシーバ２００に関連付けられる時には、受信する手段１２は、装置１０と基地局トランシーバ２００との間の専用接続を介して周波数間測定の周期的測定構成に関する情報を受信するように動作可能である。したがって、基地局トランシーバ装置２０は、モバイル・トランシーバ１００に関連付けられ、提供する手段２２は、モバイル・トランシーバ１００と基地局トランシーバとの間の専用接続を介して周波数間測定の周期的測定構成に関する情報を提供するように動作可能である。モバイル・トランシーバがアイドル・モードである、すなわち、装置１０がアイドル・モードである時には、受信する手段１２は、基地局トランシーバ２００によってブロードキャストされる情報として周波数間測定の周期的測定構成に関する情報を受信するように動作可能である。したがって、基地局トランシーバ装置２０の提供する手段２２は、ブロードキャスト情報として周波数間測定の周期的測定構成に関する情報を提供するように動作可能である。
【００４４】
図３に、第１周波数レイヤｆ１で動作可能なマクロセル３０５と第２周波数レイヤｆ２で動作可能な別のマクロセル３１０とを有する通信システム３００を示す。図３は、そのカバレージ・エリアに関してセルを示し、描写の簡単さのために、対応する基地局トランシーバは、図示されていない。第２周波数レイヤｆ２上には、小セル３１５があり、この小セル３１５は、マクロセル３１０内に組み込まれている。しかし、図３は、点Ａから点ｃおよびｄを通過して点Ｂに移動するモバイル・トランシーバ１００の経路３２０が示されている。
【００４５】
図３では、ＲＲＣ接続されたＵＥ  １００すなわちマクロセル３０５に関連付けられたモバイル・トランシーバ１００が、点Ａから点Ｂへ移動しつつあると仮定する。ＵＥ  １００は、第１周波数レイヤｆ１上でマクロセル３０５に接続される。上記によれば、ＵＥ  １００は、第２周波数レイヤｆ２上での周期的周波数間測定を用いて構成される。したがって、ＵＥ  １００は、第２周波数レイヤｆ２で小セル３１５およびマクロセル３１０に対して周波数間測定を実行しつつある。点ｃでは、小セル３１５のＵＥ  １００測定値は、しきい判断基準を満たし、したがって、ＵＥ  １００は、第１周波数レイヤｆ１上でそれが関連付けられたマクロセル３０５に報告する。ＵＥ  １００は、小セル３１５のＰＣＩと一緒に、点ｃでの第１周波数レイヤｆ１上の周波数間測定値を報告する。言い替えると、周波数間測定結果に関する情報は、第２周波数レイヤｆ２上で動作可能である基地局トランシーバまたは小セル３１５の物理セルＩＤを含む。
【００４６】
マクロセル３０５のネットワークまたは基地局トランシーバは、小セル３１５を識別し、おそらくは、たとえば３ＧＰＰ仕様のリリース１０、３ＧＰＰ  ＴＳ  ３６．３３１  Ｖ１０．２．０（２０１１年６月）、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；無線リソース制御（ＲＲＣ）参照で指定されるように、周波数間の測定を再構成する。すなわち、マクロセル３０５の基地局トランシーバ装置２０は、周波数間測定結果に関する情報に基づいて、第２周波数レイヤｆ２の小セル３１５へのモバイル・トランシーバ１００の近接を検出する手段を含む。提供する手段２２は、周波数間測定結果に関する情報の受信に応答して、別の周波数間測定値に関する情報、たとえば、上で参照したリリース１０周波数間測定値をモバイル・トランシーバ１００に供給するように動作可能である。正確な測定値に基づいて、マクロセル３０５は、第２周波数レイヤ１上の小セル３１５にＵＥをオフロードすると判断することができる。したがって、基地局トランシーバ装置２０の提供する手段２２は、周波数間測定結果に関する情報の受信の後に、ハンドオーバ指示に関する情報をモバイル・トランシーバ１００に供給するように動作可能である。
【００４７】
図４ａに、一実施形態のメッセージ・シーケンス・チャートを示す。このメッセージ・シーケンス・チャートでは、ＵＥまたはモバイル・トランシーバ１００は、左側に図示され、基地局トランシーバ２００またはマクロセル３０５は、右側に図示されている。図４ａと一致して、第１ステップ３３０では、周波数間測定の周期的測定構成すなわち、周波数間測定の周期的測定構成に関する情報が、ｅＮＢ  ２００によって供給され、ＵＥ  １００によって受信される。ネットワークは、周波数間測定の周期的測定構成を構成する。周波数間測定の周期的測定構成に関する情報は、測定周期数、測定報告判断基準のしきい値、測定ギャップ、対応する周波数間の測定オブジェクト、その他のグループの１つまたは複数の要素を含むことができる。ＵＥ  １００は、図４ａのステップ３３２によって示されるように、バックグラウンドで測定を実行する。
【００４８】
後続のステップ３３４では、ＵＥ  １００は、測定判断基準が満たされる時に、対応するセル、たとえば図３の小セル３１５のＰＣＩと一緒に、測定結果を報告する。測定値の受信時に、ネットワークは、ステップ３３８で、小セルの近接を識別することができ、ネットワークは、ハンドオーバのためにＵＥ  １００によってより正確な測定を実行できるように、周波数間測定を再構成すると判断することができる。したがって、基地局トランシーバ装置２０は、周波数間測定に関する情報に基づいて、第２周波数レイヤのセル３１５へのモバイル・トランシーバ１００の近接を検出する手段をさらに含むことができる。提供する手段２２は、周波数間測定結果に関する情報の受信に応答して、別の周波数間測定に関する情報をモバイル・トランシーバ１００に供給するように動作可能である。諸実施形態の利点は、図４ａの説明されるメッセージ・シーケンス・チャートが、従来の手順と比較される時に明瞭になり、従来の手順の詳細は、３ＧＰＰ  ＴＳ  ３６．３００、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ  ２；Ｖ１０．４．０、（２０１１年６月）のセクション１０．５．１．２に見出すことができる。
【００４９】
図４ｂに、従来の手順によるＨｅＮＢへのハンドオーバのメッセージ・シーケンス・チャートを示す。Ｈｏｍｅ  ｅｎｈａｎｃｅｄ  ＮｏｄｅＢ（ＨｅＮＢ）へのハンドオーバは、近接推定に基づく手順に従う。ＵＥは、自律検索手順を使用して、そのＣＳＧ  ＩＤｅｎｔｉｆｉｃａｔｉｏｎ（ＩＤ）がＵＥのホワイトリストすなわち、ＵＥのアクセスを許可する限定加入者グループ（ＣＳＧ）セルのリストに含まれるＣＳＧまたはＨｅＮＢセルの近くにいることを判定できるものとすることができる。ＵＥは、前記近接の表示をソースｅＮＢに供給することができる。許可されるＣＳＧセル（許可されるＨｅＮＢ）について、近接表示を使用して、許可されるＣＳＧセルにＵＥ近接を報告することができる。これは、ＵＥのホワイトリスト内に通常は少数のＣＳＧセルだけがあり、ＵＥが、これらのＣＳＧセルを訪問した後に、これらのＣＳＧセルの「位置」を格納できるので、可能である。ＵＥによって記録されるＣＳＧの「位置」は、たとえば、ラジオ周波数（ＲＦ）指紋または地理的座標とすることができる。許可されるＨｅＮＢの付近にいる時に、ＵＥは、ＨｅＮＢへの近接についてネットワークに知らせることができる。近接指示を使用して、対応する周波数間の測定、たとえば対応する測定ギャップを構成することができる。さらに、そのような近接推定は、自律検索に基づいてＵＥによって実行される。近接指示が、ネットワークによって構成される場合には、ＵＥは、ＨｅＮＢが見つかった時に、ＨｅＮＢへの近接についてネットワークに知らせる。
【００５０】
図４ａおよび４ｂのメッセージ・シーケンス・チャートを比較する時に、シグナリング・オーバーヘッドを諸実施形態によって減らすことができることが、簡単にわかる。諸実施形態は、上の説明に従って、測定レポートと一緒にＰＣＩを提供し、または構成メッセージの後にセルの所定のリストの測定レポートだけを提供することができる。したがって、メッセージの個数およびメッセージに伴うシグナリング・オーバーヘッドを、諸実施形態によって減らすことができる。
【００５１】
もう１つの実施形態では、ＵＥ  １００は、第２周波数レイヤ内での小セル３１５のＵＥ  １００による検索手順を支援するために、測定に関するセルのリストについても知らされる。したがって、測定構成に関する情報は、第２周波数レイヤ上で動作可能な基地局トランシーバ３１５を示す物理セルＩＤのリストを含む。測定する手段１４は、物理セルＩＤのリスト内で示される基地局トランシーバ３１５の無線信号を測定するように動作可能である。リストの第２周波数レイヤ上で動作可能な基地局トランシーバまたはセル３１５は、第１周波数レイヤ上の基地局トランシーバのカバレージ・エリア３０５より小さい第２周波数レイヤ上のカバレージ・エリアを有する１つまたは複数の基地局トランシーバまたはセル３１５を含むことができる、すなわち、このリストは、１つまたは複数の小セル３１５を含むことができる。図３に示されているように、基地局トランシーバまたはセル３０５は、第１周波数レイヤ上のマクロセルに対応する。第２周波数レイヤ上の小セル３１５のカバレージ・エリアのサイズは、第１周波数レイヤ上のマクロセル３０５のカバレージ・エリアのサイズの半分未満である。たとえば、マクロセル３０５は、２ｋｍより大きい直径を有するセルに対応することができる。第２周波数レイヤ上の小セル３１５は、２ｋｍ未満である直径を有するセルに対応することができ、２００ｍ未満である直径を有するピコセル３１５に対応することができる。
【００５２】
もう１つの実施形態では、ＵＥ  １００が性能要件を満たすために長い期間内に少数の測定だけを実行するように（これは、反復サイクルが、たとえば１秒または６４０ｍｓより長い理由である）、ＵＥ  １００性能要件は、緩和される。反復サイクルは、時間ウィンドウに基づくものとすることができる。すなわち、周期的測定構成に関する情報は、反復時間ウィンドウに関する情報を含む。測定する手段１４は、時間ウィンドウあたり少なくとも１回、第２周波数レイヤ上で無線信号を測定するように動作可能である。さらに、周期的測定構成に関する情報は、時間ウィンドウ内で行わなければならない測定の回数に関する情報を含む。測定する手段１４は、時間ウィンドウ内にその回数の測定を実行するように動作可能である。時間ウィンドウおよび時間ウィンドウ内に行うべき測定の回数を使用して、測定要件を定義することができ、この測定要件は、ハンドオーバのためのリリース１０周波数間測定の周波数間測定要件より緩和されている。
【００５３】
アイドル・モードＵＥについて、緩和された性能要件は、測定のためのより少ないウェイクアップをもたらすことができ、したがって、より少ない電力消費をもたらすことができる。ＲＲＣ接続されたＵＥについて、ＵＥの測定ギャップの不連続受信（ＤＲＸ）要件を考慮に入れて、緩和された性能要件を定義することができる。諸実施形態では、基地局トランシーバ装置は、モバイル・トランシーバ１００が、速度しきい値よりゆっくり移動する時に、第２周波数レイヤ上で小セル３１５の中心を通る直線に沿って（図３でＡからＢへまっすぐに）移動する時に少なくとも２回の周波数間測定を実行するように、周波数間測定の時間ウィンドウの持続時間を適合させる手段を含むことができる。言い替えると、モバイル・トランシーバ１００は、第２周波数レイヤ上で小セル３１５の中心を通る直線に沿って速度しきい値より速く移動する時に、単一の測定を実行することができる。
【００５４】
図５に、モバイル通信システム３００内のモバイル・トランシーバ１００の方法の一実施形態の流れ図を示す。この方法は、第１周波数レイヤ上でモバイル通信システム３００の基地局トランシーバ２００から周波数間測定の周期的測定構成に関する情報を受信するステップ３２を含む。周波数間測定は、モバイル・トランシーバ１００が、速度しきい値未満の速度で移動する時に、少なくとも２つの反復サイクルの間に第２周波数レイヤ上の別の基地局トランシーバのカバレージ・エリア３１５内に位置するようになっている反復サイクルを有する第２周波数レイヤ上での反復測定を指す。この方法は、周波数間測定結果を入手するために周期的測定構成に関する情報に基づいて第２周波数レイヤ上で無線信号を測定するさらなるステップ３４を含む。さらに、この方法は、周波数間測定結果がしきい判断基準を満たす時に、モバイル通信ネットワーク３００の基地局トランシーバ２００に周波数間測定結果に関する情報を報告するステップ３６を含む。
【００５５】
図６に、モバイル通信システム３００内の基地局トランシーバ２００の方法の一実施形態の流れ図を示す。この方法は、第１周波数レイヤ上でモバイル通信システム３００のモバイル・トランシーバ１００に周波数間測定の周期的測定構成に関する情報を提供するステップ４２を含む。周波数間測定は、モバイル・トランシーバ１００が、速度しきい値未満の速度で移動する時に、少なくとも２つの反復サイクルの間に第２周波数レイヤ上の別の基地局トランシーバのカバレージ・エリア３１５内に位置するようになっている反復サイクルを有する第２周波数レイヤ上での反復測定を指す。この方法は、さらに、周波数間測定結果に関する情報をモバイル・トランシーバ１００から受信するステップ４４を含む。
【００５６】
当業者は、さまざまな上で説明した方法のステップを、プログラムされたコンピュータによって実行できることをたやすく認めるであろう。本明細書では、いくつかの実施形態は、プログラム・ストレージ・デバイス、たとえば、機械可読またはコンピュータ可読であり、機械実行可能な命令のプログラムまたはコンピュータ実行可能な命令のプログラムを符号化するディジタル・データ記憶媒体を包含することが意図されており、前記命令は、前記上で説明した方法のステップの一部またはすべてを実行する。プログラム・ストレージ・デバイスを、たとえば、ディジタル・メモリ、磁気ディスクおよび磁気テープなどの磁気記憶媒体、ハード・ドライブ、または光学的に読取可能なディジタル・データ記憶媒体とすることができる。諸実施形態は、上で説明した方法の前記ステップを実行するようにプログラムされたコンピュータを包含することも意図されている。
【００５７】
この説明および図面は、単に、本発明の原理を示す。したがって、当業者が、本明細書で明示的に説明されず、図示されていないが、本発明の原理を実施し、本発明の趣旨および範囲に含まれるさまざまな配置を考案できることを了解されたい。さらに、本明細書で引用されるすべての例は、特に、当技術を促進するために本発明の原理および本発明者（または本発明者ら）によって寄与される概念を理解する際に読者を助けるという教育的目的だけのためのものであることが、主に意図されており、そのような特に引用された例および条件に限定されないと解釈すべきである。さらに、本発明の原理、態様、および実施形態ならびにその特定の例を引用する本明細書のすべての言説は、その同等物を包含することが意図されている。
【００５８】
「〜の手段」（ある機能を実行する）と表された機能ブロックは、それぞれある機能を実行するように適合されまたはこれを実行する回路網を含む機能ブロックと理解されなければならない。したがって、「あるもののための手段」を、「あるもののために適合されまたはこれに適する手段」と理解することもできる。したがって、ある機能を実行するために適合された手段は、そのような手段が必ず前記機能を（所与の瞬間に）実行しつつあることを暗示しない。
【００５９】
「手段」、「受信する手段」、「測定する手段」、「報告する手段」、「提供する手段」、「適合させる手段」、「検出する手段」などとしてラベルを付けられたすべての機能ブロックを含む、図に示されたさまざまな要素の機能を、「受信器」、「測定器具」、「レポータ」、「プロバイダ」、「アダプタ」、「検出器」、「プロセッサ」、「コントローラ」、「ＤＳＰ」などの専用ハードウェアならびに適当なソフトウェアに関連してソフトウェアを実行することのできるハードウェアの使用を介して提供することができる。プロセッサによって提供される時に、機能を、単一の専用プロセッサによって、単一の共有されるプロセッサによって、またはいくつかが共有される可能性がある複数の個々のプロセッサによって、提供することができる。さらに、用語「プロセッサ」または「コントローラ」の明示的使用を、ソフトウェアを実行できるハードウェアを排他的に参照すると解釈してはならず、この明示的使用は、限定なしに、ディジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを格納する読取り専用メモリ（ＲＯＭ）、ランダム・アクセス・メモリ（ＲＡＭ）、および不揮発性ストレージを暗黙のうちに含むことができる。従来のおよび／またはカスタムの、他のハードウェアを含めることもできる。同様に、図に示されたすべてのスイッチは、概念的なものにすぎない。その機能を、プログラム論理の動作を介して、専用論理を介して、プログラム制御と専用論理との相互作用を介して、または手動でさえ実行することができ、特定の技法は、文脈からより具体的に理解されるように、実装者によって選択可能である。
【００６０】
当業者は、本明細書のすべてのブロック図が、本発明の原理を実施する例示的な回路網の概念的な図を表すことを了解するであろう。同様に、すべてのフロー・チャート、流れ図、状態遷移図、擬似コード、および類似物は、実質的にコンピュータ可読媒体内で表すことができ、したがってコンピュータまたはプロセッサが明示的に図示されているか否かに関わりなくそのようなコンピュータまたはプロセッサによって実行され得るさまざまなプロセスを表すことを了解されたい。
【図１】
2015504265.tif 000003
【図２】
2015504265.tif 000004
【図３】
2015504265.tif 000005
【図４ａ】
2015504265.tif 000006
【図４ｂ】
2015504265.tif 000007
【図５】
2015504265.tif 000008
【図６】
2015504265.tif 000009
【国際調査報告】
2015504265.tif 000010
2015504265.tif 000011
2015504265.tif 000012